(57)【要約】【課題】視認方向によって異なる模様が視認できたりする変化のある模様を視認できる釣竿を提供する。【解決手段】リール固定装置のシート本体部２０が竿杆１０を挿通させる直線状の貫通孔を有すると共に、透明又は半透明の合成樹脂材で形成されていて、少なくともその平面視形状又は側面視形状が長手方向に亘って一定ではなくて前記貫通孔の孔壁の厚さが場所によって異なり、リール脚載置面２０Ｓの竿元側には固定フードＦ１を一体形成しており、前記貫通孔の孔壁には、該貫通孔の長手方向に亘っては均一な厚さを有する塗膜を有し、該塗膜には干渉光を発生させる粒子が混在しているよう構成する。【選択図】        図１
2006204156.tif 000002
【特許請求の範囲】
【請求項１】
リール固定装置のシート本体部が竿杆を挿通させる直線状の貫通孔を有すると共に、透明又は半透明の合成樹脂材で形成されていて、少なくともその平面視形状又は側面視形状が長手方向に亘って一定ではなくて前記貫通孔の孔壁の厚さが場所によって異なり、リール脚載置面の竿元側には固定フードを一体形成しており、前記貫通孔の孔壁には、該貫通孔の長手方向に亘っては均一な厚さを有する塗膜を有し、該塗膜には干渉光を発生させる粒子が混在していることを特徴とする釣竿。
【請求項２】
前記シート本体部のリール脚載置面の少なくとも一部分を残しつつ、固定フードのある竿元側表面には遮蔽性を有する塗装が施されている請求項１記載の釣竿。
【請求項３】
少なくとも前記遮蔽性塗装の施されていない領域の一部には透明又は半透明の有色塗装が施されている請求項２記載の釣竿。
【発明の詳細な説明】
【技術分野】
【０００１】
本発明は、リール固定装置に特徴を有する釣竿に関する。
【背景技術】
【０００２】
下記特許文献１には、竿杆等の筒体に着色や模様を形成し、その外周に透光性を有する部材を被せたグリップ部が開示されている。この釣竿用のグリップ部では、筒体表面の模様等を外部から視認することができる。  
【特許文献１】特開平９−２７５８５８号公報
【発明の開示】
【発明が解決しようとする課題】
【０００３】
然しながら、上記釣竿用グリップは、内部に配設した筒体の模様を外部から視認できるだけであり、その意味では単純な１種類の模様を視認できるに過ぎず、外観上の改善が望まれる。
従って解決しようとする課題は、視認方向によって異なる模様が視認できたりする変化のある模様を視認できる釣竿を提供することである。
【課題を解決するための手段】
【０００４】
請求項１に係る発明では、リール固定装置のシート本体部が竿杆を挿通させる直線状の貫通孔を有すると共に、透明又は半透明の合成樹脂材で形成されていて、少なくともその平面視形状又は側面視形状が長手方向に亘って一定ではなくて前記貫通孔の孔壁の厚さが場所によって異なり、リール脚載置面の竿元側には固定フードを一体形成しており、前記貫通孔の孔壁には、該貫通孔の長手方向に亘っては均一な厚さを有する塗膜を有し、該塗膜には干渉光を発生させる粒子が混在していることを特徴とする釣竿を提供する。
【０００５】
請求項２に係る発明では、前記シート本体部のリール脚載置面の少なくとも一部分を残しつつ、固定フードのある竿元側表面には遮蔽性を有する塗装が施されているよう構成する。
【０００６】
請求項３に係る発明では、少なくとも前記遮蔽性塗装の施されていない領域の一部には透明又は半透明の有色塗装が施されているよう構成する。
【発明の効果】
【０００７】
本発明の請求項１では、透明又は半透明のシート本体部に設けた貫通孔の孔壁には、長手方向に亘っては均一な厚さを有する塗膜を有し、該塗膜には干渉光を発生させる粒子が混在している。このため太陽光の当る場所で竿杆の位置する貫通孔壁部を見ると干渉光を視認できるが、その孔壁に設けた膜厚が長手方向に亘って均一な厚さであるため、その長手方向に沿った高輝性ハイライトラインを視認できる。しかも、その高輝性ハイライトラインは、貫通孔壁の円周方向位置に応じてその発生色が異なり、種類の異なる発色を視認でき、ひいては挿通させている竿杆がそのように発色しているように見える面白さがある。更には、シート本体部の平面視形状や側面視形状が長手方向に亘って一定ではなくて貫通孔の孔壁厚さが場所によって異なるため、レンズの作用によって直線状の貫通孔の直線状の孔壁が湾曲し、その結果、挿通させている竿杆の太さ（直径）が変化しているように見える面白さがある。
【０００８】
請求項２では、シート本体部に固定フードが一体形成された部位は、特に肉厚変化の大きい領域であるため、合成樹脂材の射出成形時に気泡が発生して残り易い領域である。この竿元側表面に遮蔽性を有する塗装を施すため、気泡が隠れ、製品として不良にならず、歩留まりを向上させることができる。
【０００９】
請求項３では、透明又は半透明の有色塗装（カラークリヤ）が施されているため、貫通孔の孔壁塗膜の高輝性ハイライトラインに深みのある装飾感が重畳する。
【発明を実施するための最良の形態】
【００１０】
以下、本発明を図面を用いて詳細に説明する。図１は本発明に係る釣竿の例としてのキャスティングロッドの要部側面図であり、図２は平面図、図３は図１のシート本体部のみを垂直面で切断した縦断面図、図４は図１のシート本体部のみを水平面で切断した縦断面図、図５は図３の矢視線Ｅ−Ｅによる拡大横断面図である。エポキシ樹脂等の合成樹脂をマトリックスとし、炭素繊維等の強化繊維で強化した繊維強化樹脂製の竿杆１０の後部所定領域にリール脚固定装置を設け、その後側にグリップＧを設けている。リール脚固定装置のリール脚載置面２０Ｓを有するシート本体部２０は、例えばＡＢＳ樹脂、ナイロン、ポリカーボネート、アクリル等の透明な合成樹脂によって形成している。この例では、射出成形した当初は無色透明でもある。このリール脚載置面の後方部には固定フードＦ１が一体形成されており、前側には移動フードＦ２が配設されている。この移動フードには、シート本体部２０の前部領域に形成した雄ねじＮに螺合する雌ねじを設けており、回動操作によって前後に移動する。
【００１１】
シート本体部２０の固定フードの径方向反対側にはトリガーＴが形成されている。また、シート本体部２０には、前後方向に亘って直線状の貫通孔２０Ｋが形成されており、前端から後端にまで亘って完全に壁面で覆われている。即ち、途中において穴が開いていない。特に図３に見られるように、このシート本体部２０の竿元側には固定フードＦ１があると共にトリガーＴも有るため、貫通孔の孔壁肉厚が大きく変化している領域と言える。従って、このシート本体部を射出成形した際に、この竿元領域に気泡が発生する確率が高い。
【００１２】
前記貫通孔２０Ｋの横断面形状は、完全な丸穴ではなく、図５の貫通孔壁部の一部拡大図である図６に示すように、円周方向に適宜間隔で設け、貫通孔の長手方向に沿った凸条２０Ｋが形成されている。この凸条と隣接した凸条との間は凹条であり、貫通孔２０Ｋに竿杆１０を挿通させて接着固定する際に、ここに接着剤を保持できて接合力が高まる。この貫通孔２０Ｋの壁面には、ガン吹き塗装、即ち噴霧塗装によって塗装膜２４を形成している。塗装膜２４付近の拡大模式図である図７に示すように、塗装膜になる塗料中にはベースとなる有色塗料中に干渉光を発生させる微小粒子２４Ｒを混在させている。このベースとなる有色塗料に代わって、透明又は半透明の無色又は有色のクリヤー塗料とし、このクリヤー塗料中に前記粒子２４Ｒを混在させ、これを貫通孔壁にガン吹き塗装し、乾燥後に、更にその内側に遮蔽性のある塗膜を形成してもよい。
【００１３】
上記微小粒子２４Ｒは、例えば、よく知られているように、ベース部材ＢＳとしてのアルミニウム等の金属箔に、干渉膜ＨＳとしてのクロムやチタン等の酸化被膜を施して形成したものである。例えばその粒子サイズは、平面視サイズ（粒子径）が１０〜４０ミクロン、厚さが０．０１〜３ミクロン程度等である。透明又は半透明のシート本体部２０を透過してきた光の内、微小粒子２４Ｒの干渉膜ＨＳの表面で反射する光と、その裏面で反射する光とが互いに干渉して干渉光を発生させる。微小粒子としては、その他、ベース部材として顔料を使用した粒子も可能である。
【００１４】
前述したガン吹き塗装方法としては、図８に模式図を示しているが、先端部の外周に適宜数のノズル孔を設けた塗装パイプＮＺを貫通孔２０Ｋ内に挿入し、貫通孔の入口から出口にまで亘って貫通孔の長手方向に沿って等速度で移動させつつ一定噴出圧力で微小粒子の混在した塗料を塗布する。挿入口としてはシート本体部２０の元側でも先側でもよい。また、入口から出口までの塗装パイプの移動は１回とは限らず、往復させたり、或いはそれ以上の回数移動させつつ塗装してもよいが、途中で止めない方がよい。即ち、移動は前方移動又は後方移動の何れでもよいが、１回、２回、３回、・・・というように整数回であることが望ましい。途中で止めては、その残りの領域と塗膜厚さが異なることになるからである。
【００１５】
こうして形成された塗膜２４は、貫通孔の長手方向に亘って均一な膜厚を有する。しかし、貫通孔の円周方向の位置の相違によっては膜厚が相違することがある。何れにしても、長手方向に亘って均一な膜厚を有するため、透明又は半透明のシート本体部２０を透過した光による干渉光の輝きは、貫通孔の長手方向に沿ったハイライトラインを呈し、意匠外観的に優れたデザイン性をかもし出す。更には、貫通孔の円周方向位置や視認方向によってその色が異なり、意匠性が向上する。しかし、本願はこれだけの外観デザインではなく、シート本体部が図１〜図４に図示されているように、平面視形状も側面視形状も長手方向に沿って一定ではないため、貫通孔の孔壁の肉厚が長手方向に沿って種々に変化している。このため、肉厚の変化した孔壁の長手方向におけるレンズ作用が異なり、直線状であって一定孔径の貫通孔２０Ｋの輪郭等が湾曲して見える。
【００１６】
その輪郭の概ねの様子を図１と図２に２点鎖線２０ＫＫで示している。こうしたレンズ効果が重なって外観上の面白さをかもし出している。従って、既述のハイライトラインは、図２における貫通孔の中心軸線上では直線であるが、その中心軸線から左右に位置がずれるに従って湾曲したラインとなる。しかし、長手方向に沿ったハイライトラインであることには変りはなく、釣竿の長手方向に沿ったラインを強調することができ、釣竿として外観的に優れたデザイン性をかもし出している。
【００１７】
意匠性を向上させるため、無色透明のシート本体部２０の表面に透明性のある有色塗装をも施している。例えば、染料によるカラークリヤー塗装を行うのである。これにより、高輝性ハイライトラインに深みのある装飾感が重畳する。また、既述の通り、シート本体部の貫通孔の孔壁肉厚の変化の大きな竿元側部位には、射出成形時に気泡が残留することがあるため、これを被覆して隠し、歩留まりを向上させると共に意匠性をも向上させるべく、遮蔽性を有する塗装を施すこともできる。この場合、ガン吹き塗装によると、塗装の施された領域と施されていない領域との境界がぼやけ、意匠性が向上する。
【００１８】
図９は本発明に係る他の釣竿の例であり、キャスティングロッド以外のトリガーの無い釣竿である。竿管１０’に套嵌させた透明又は半透明のシート本体部２０’が、先の例のシート本体部２０に相当し、貫通孔２０Ｋ’が形成されており、ここに竿管が挿入接着固定されている。この例でも、シート本体部は側面視において長手方向中央部が膨出しており、貫通孔の孔壁の肉厚が変化しているため貫通孔の形が湾曲して見える。また、固定フードＦ１が形成されている端部領域は肉厚変化が大きく、射出成形時に気泡が発生する可能性が高く、発生した場合には、意匠性を兼ねた遮蔽性のある塗装を行うことやその他の事項も、先の例で説明したのと同様である。また、移動フードＦ２’は環状体ではない形態であるが、本願発明には影響が無い。
【産業上の利用可能性】
【００１９】
本発明はリール固定装置を有し、シート本体部を有する各種釣竿に利用できる。
【図面の簡単な説明】
【００２０】
【図１】図１は本発明に係る釣竿の例としてのキャスティングロッドの要部側面図である。
【図２】図２は図１の釣竿要部の平面図である。
【図３】図３は図１のシート本体部のみを垂直面で切断した縦断面図である。
【図４】図４は図１のシート本体部のみを水平面で切断した縦断面図である。
【図５】図５は図３の矢視線Ｅ−Ｅによる拡大横断面図である。
【図６】図６は図５の貫通孔壁部の一部拡大図である。
【図７】図７は図５の塗装膜付近の拡大模式図である。
【図８】図８は塗装方法の模式的説明図である。
【図９】図９は本発明に係る他の釣竿の例である。
【符号の説明】
【００２１】
１０                  竿杆
２０                  シート本体部
２０Ｋ                貫通孔
２０Ｓ                リール脚載置面
２４                  塗膜
Ｆ１                  固定フード
【図１】
2006204156.tif 000003
【図２】
2006204156.tif 000004
【図３】
2006204156.tif 000005
【図４】
2006204156.tif 000006
【図５】
2006204156.tif 000007
【図６】
2006204156.tif 000008
【図７】
2006204156.tif 000009
【図８】
2006204156.tif 000010
【図９】
2006204156.tif 000011